(57)【要約】【目的】複数回の露光により生成されたＣＣＤ１から得られる画像データを補正する。【構成】ＣＣＤ１は，４つの領域ごとに４回の露光により１つの撮像領域が生成されているものである。４つの領域に対応して補正回路１５Ａから１５Ｄが設けられている。４つの領域のそれぞれにもとづいて得られる画像データは，対応する補正回路１５Ａから１５Ｄに入力し，領域の境界の乱れを防止するための補正が行われる。補正されたそれぞれの領域ごとの画像データから一駒の画像データが生成されメモリ・カード１１に記録される。【選択図】　図３
2004048320.tif 000002
【特許請求の範囲】
【請求項１】
撮像領域が複数の領域ごとに分けて作成され，被写体を撮像することにより被写体像を表す画像データを出力する固体電子撮像装置，
上記固体電子撮像装置の上記複数の領域に対応してそれぞれ補正値を記憶する補正値メモリ，および
上記固体電子撮像装置から出力された画像データのうち上記複数の領域にもとづいてそれぞれ得られる画像データを，上記補正値メモリに記憶されている補正値メモリに記憶されている補正値のうち対応する補正値を用いて補正する補正手段，
を備えた固体電子撮像装置の補正装置。
【請求項２】
上記補正値メモリが上記複数の領域に対応して複数個あり，
上記補正手段が，
上記複数個の補正値メモリに対応した複数の補正回路，および
上記固体電子撮像装置から出力された画像データのうち上記複数の領域にもとづいてそれぞれ得られる画像データを複数の補正回路のうち対応する補正回路に与え，上記複数の補正値メモリに記憶されている補正値のうち対応する補正値を用いて補正するように上記補正回路を制御する制御手段を備えている，
請求項１に記載の固体電子撮像装置の補正装置。
【請求項３】
上記固体電子撮像装置が，
撮像領域が複数の領域ごとに分けて作成され，かつ被写体を撮像することにより被写体像を表す映像信号を出力する固体電子撮像素子，および
上記複数の領域に対応して設けられ，上記固体電子撮像素子から出力された映像信号のうち上記複数の領域にもとづいてそれぞれ得られる映像信号を，それぞれ画像データに変換する複数のアナログ／ディジタル変換回路を備えている，
請求項２に記載の固体電子撮像装置の補正装置。
【発明の詳細な説明】
【０００１】
【技術分野】
この発明は，固体電子撮像装置の補正装置に関する。
【０００２】
【発明の背景】
ＣＣＤなどの固体電子撮像素子は，シリコン・ウエハ上にフォトマスクを配置し，フォトマスクを通じて露光することにより作成される。現在の作成手法では，２０Ｍから３０Ｍの画素数をもつ大容量の固体電子撮像素子を一度に作成することは困難であり，通常は異なる領域ごとに露光が複数回行われる。
【００００３】
複数回の露光が行われることにより，固体電子撮像素子から映像信号が読み出されたときには，その領域ごとに映像信号レベルが変わってしまうことがある。
【０００４】
【発明の開示】
この発明は，領域ごとに変わる映像信号レベルを補正することを目的とする。
【０００５】
この発明による固体電子撮像装置の補正装置は，撮像領域が複数の領域ごとに分けて作成され，被写体を撮像することにより被写体像を表す画像データを出力する固体電子撮像装置，上記固体電子撮像装置の上記複数の領域に対応してそれぞれ補正値を記憶する補正値メモリ，および上記固体電子撮像装置から出力された画像データのうち上記複数の領域にもとづいてそれぞれ得られる画像データを，上記補正値メモリに記憶されている補正値メモリに記憶されている補正値のうち対応する補正値を用いて補正する補正手段を備えていることを特徴とする。
【０００６】
この発明による上記固体電子撮像装置の補正装置に適した制御方法を提供するようにしてもよい。すなわち，この方法は，撮像領域が複数の領域ごとに分けて作成され，被写体を撮像することにより被写体像を表す画像データを出力する固体電子撮像装置から出力された画像データのうち上記複数の領域にもとづいてそれぞれ得られる画像データを，上記固体電子撮像装置の上記複数の領域に対応してそれぞれ記憶されている補正値のうち対応する補正値を用いて補正するものである。
【０００７】
この発明によると，固体電子撮像装置の上記複数の領域にそれぞれ対応して補正値が記憶されている。固体電子撮像装置から画像データが出力されると，複数の領域にもとづいてそれぞれ得られる画像データが，複数の領域に対応して記憶されている補正値のうち対応する補正値によって補正される。
【０００８】
領域ごとに露光が複数回行われて固体電子撮像装置が作成されたことによる領域ごとに変わる映像信号レベルを是正することができる。
【０００９】
上記補正値メモリが上記複数の領域に対応して複数個ある場合には，上記補正手段は，上記複数個の補正値メモリに対応した複数の補正回路，および上記固体電子撮像装置から出力された画像データのうち上記複数の領域にもとづいてそれぞれ得られる画像データを複数の補正回路のうち対応する補正回路に与え，上記複数の補正値メモリに記憶されている補正値のうち対応する補正値を用いて補正するように上記補正回路を制御する制御手段を備えるものとなろう。
【００１０】
また，上記固体電子撮像装置は，撮像領域が複数の領域ごとに分けて作成され，かつ被写体を撮像することにより被写体像を表す映像信号を出力する固体電子撮像素子，および上記複数の領域に対応して設けられ，上記固体電子撮像素子から出力された映像信号のうち上記複数の領域にもとづいてそれぞれ得られる映像信号を，それぞれ画像データに変換する複数のアナログ／ディジタル変換回路を備えているものでもよい。
【００１１】
【実施例の説明】
ＣＣＤを作成する場合，シリコン・ウエハ上にフォトマスクを配置し，フォトマスクを通じて露光される。大容量ＣＣＤ（たとえば，画素数が２０Ｍから３０Ｍ程度以上のもの）を一度に作成することは困難であり，通常は異なる領域ごとに露光が複数回行われる。
【００１２】
図１は，大容量ＣＣＤの撮像領域を示している。
【００１３】
大容量ＣＣＤ１の撮像領域２には，複数の領域ＡからＤが規定されている。これらの複数の領域ＡからＤごとに露光が行われ，大容量ＣＣＤ１が作成される。
【００１４】
大容量ＣＣＤ１の撮像領域２に撮像レンズなどにより被写体像が結像することにより，大容量ＣＣＤ１から被写体像を表す映像信号が出力される。
【００１５】
図２は，図１のＩＩ−ＩＩ線に沿う撮像領域２から得られる映像信号のレベルを示すものである。
【００１６】
領域ＡからＤごとに複数回の露光が行われて撮像領域２をもつ大容量ＣＣＤ１が作成されると，領域の境界部分において本来一致すべき映像信号に段差２０が発生する。
【００１７】
この実施例によるディジタル・スチル・カメラは，領域の境界部分において発生するレベル差を補正するものである。
【００１８】
図３は，ディジタル・スチル・カメラの電気的構成を示すブロック図である。
【００１９】
ディジタル・スチル・カメラには，上述したＣＣＤ１の撮像領域２の４つの領域ＡからＤに対応して第１から第４の４つの補正回路１５Ａ，１５Ｂ，１５Ｃおよび１５Ｄが設けられている。４つの補正回路１５Ａ，１５Ｂ，１５Ｃおよび１５Ｄはそれぞれ，撮像領域２の領域Ａ，Ｂ，ＣおよびＤから出力される映像信号のレベルを補正するものである。補正回路１５Ａには，ＣＰＵ５Ａ，補正値メモリ６ＡおよびＳＤＲＡＭ７Ａが含まれている。同様に，補正回路１５Ｂには，ＣＰＵ５Ｂ，補正値メモリ６ＢおよびＳＤＲＡＭ７Ｂが含まれ，補正回路１５Ｃには，ＣＰＵ５Ｃ，補正値メモリ６ＣおよびＳＤＲＡＭ７Ｃが含まれ，補正回路１５Ｄには，ＣＰＵ５Ｄ，補正値メモリ６Ｄが含まれている。
【００２０】
補正値メモリ６Ａ，６Ｂ，６Ｃおよび６Ｄには，領域Ａ，Ｂ，ＣおよびＤに対応して，上述したように領域Ａ，Ｂ，ＣおよびＤから生じる映像信号のレベル差を是正するための補正値を表すデータが記憶されている。また，ＣＰＵ５Ａ，５Ｂ，５Ｃおよび５Ｄは，後述するようにアナログ／ディジタル変換回路４から出力される画像データのうち対応する領域Ａ，Ｂ，ＣおよびＤから出力される画像データをそれぞれＳＤＲＡＭ７Ａ，７Ｂ，７Ｃおよび７Ｄに一時的に記憶させるように設計されている。
【００２１】
ＣＣＤ１によって被写体が撮像されると，被写体像を表す映像信号がＣＣＤ１から出力される。ＣＣＤ１から出力された映像信号は，ＣＤＳ（ｃｏｒｒｅｌａｔｅｄ　ｄｏｕｂｌｅ　ｓａｍｐｌｉｎｇ）回路３において相関二重サンプリング処理され，アナログ／ディジタル変換回路４に与えられる。アナログ／ディジタル変換回路４において，アナログ映像信号がディジタル画像データに変換される。変換された画像データは，補正回路１５Ａ，１５Ｂ，１５Ｃおよび１５ＤのＣＰＵ５Ａ，５Ｂ，５Ｃおよび５Ｄに与えられる。
【００２２】
領域Ａにもとづく画像データが与えられたときには，補正回路１５Ａ内のＳＤＲＡＭ７Ａに一時的に記憶されるようにＣＰＵ５Ａによって制御される。同様に，領域Ｂにもとづく画像データが与えられたときには，補正回路１５Ｂ内のＳＤＲＡＭ７Ｂに，領域Ｃにもとづく画像データが与えられたときには，補正回路１５Ｃ内のＳＤＲＡＭ７Ｃに，領域Ｄにもとづく画像データが与えられたときには，補正回路１５Ｄ内のＳＤＲＡＭ７Ｄにそれぞれ一時的に記憶されるように制御される。
【００２３】
第１の補正回路１５ＡのＳＤＲＡＭ７Ａに記憶された画像データはＣＰＵ５Ａによって読み出され，補正値メモリ６Ａに記憶されている領域Ａ用の補正値を用いて補正される。補正された画像データは，再びＳＤＲＡＭ７Ａに一時的に記憶される。同様に，第２の補正回路１５Ｂにおいて領域Ｂ用の補正値を用いて補正されＳＤＲＡＭ７Ｂに記憶され，第３の補正回路１５Ｃにおいて領域Ｃ用の補正値を用いて補正されＳＤＲＡＭ７Ｃに記憶され，第４の補正回路１５Ｄにおいて領域Ｃ用の補正値を用いて補正されＳＤＲＡＭ７Ｃに記憶される。したがって，第１の補正回路１５ＡのＳＤＲＡＭ７Ａには，領域Ａの部分に結像した画像の補正後の画像を表す画像データが記憶されることとなる。同様に，第２の補正回路１５ＢのＳＤＲＡＭ７Ｂ，第３の補正回路１５ＣのＳＤＲＡＭ７Ｃおよび第４の補正回路１５ＤのＳＤＲＡＭ７Ｄには，それぞれ領域Ｂ，ＣおよびＤの部分に結像した画像の補正後の画像を表す画像データが記憶されることとなる。
【００２４】
第２の補正回路１５ＢのＳＤＲＡＭ７Ｂに記憶された，領域Ｂの部分に結像した画像の補正後の画像を表す画像データは，ＣＰＵ５Ｂによって読み取られる。読み取られた画像データは，第１の補正回路１５ＡのＣＰＵ５ＡによってＳＤＲＡＭ７Ａに記憶される。同様にして，第３の補正回路１５Ｃに記憶された領域Ｃの部分に結像した画像の補正後の画像を表す画像データおよび第４の補正回路１５Ｄに記憶された領域Ｄの部分に結像した画像の補正後の画像を表す画像データも第１の補正回路１５ＡのＳＤＲＡＭ７Ａに記憶される。第１の補正回路１５Ａ内のＳＤＲＡＭ７Ａには，補正後の一駒分の画像データが記憶されることとなる。
【００２５】
第１の補正回路１５ＡのＳＤＲＡＭ７Ａから一駒分の画像データが読み出され，ＬＣＤ（ｌｉｑｕｉｄ　ｃｒｙｓｔａｌ　ｄｉｓｐｌａｙ）ドライバ８に与えられる。ＬＣＤドライバ８によってＬＣＤ９が駆動させられることにより，撮影により得られた被写体像がＬＣＤ９の表示画面上に表示される。上述のように補正されているので，ＬＣＤ９の表示画面上に表示されている画像には領域境界における画像の乱れが生じることもない。
【００２６】
シャッタ・レリーズ・ボタン（図示略）が押されると，上述のようにして得られた補正後の画像データは，カード・インターフェイス１０を介してメモリ・カード１１に与えられ，記録される。
【００２７】
図４は，補正処理手順を示すフローチャートである。
【００２８】
第１から第４の補正回路１５Ａから１５ＤのＣＰＵ５Ａから５Ｄに，領域ＡからＤから得られる対応する画像データが入力すると（ステップ４１でＹＥＳ），それぞれＳＤＲＡＭ７Ａから７Ｄに記憶される（ステップ４２）。ＳＤＲＡＭ７Ａから７Ｄに記憶されたそれぞれの画像データが，補正値メモリ６Ａから６Ｄに記憶されている領域ＡからＤに対応した補正値を用いて補正される（ステップ４３）。補正された画像データが再びＳＤＲＡＭ７Ａから７Ｄに記憶される（ステップ４４）。
【００２９】
この後は，上述したように，ＳＤＲＡＭ７Ｂから７Ｄに記憶されている画像データが第１の補正回路１５Ａ内のＳＤＲＡＭ７Ａに与えられ，一駒の画像を表す画像データが生成される。補正後の画像がＬＣＤ９に表示される。また，補正後の一駒の画像データがメモリ・カード１１に記録される。
【００３０】
図５は，他の実施例を示すもので，ディジタル・スチル・カメラの電気的構成を示すブロック図である。この図において図３に示すものと同一物については同一符号を付して説明を省略する。
【００３１】
図５に示すディジタル・スチル・カメラにおいては，第１の補正回路１５Ａから第４の補正回路１５Ｄに対応して，第１のＣＤＳ回路３Ａから第４のＣＤＳ回路３Ｄおよび第１のアナログ／ディジタル変換回路４Ａから第４のアナログ／ディジタル変換回路４Ｄが設けられている。
【００３２】
ＣＣＤ１から出力された映像信号は，第１のＣＤＳ回路３Ａから第４のＣＤＳ回路３Ｄにおいてそれぞれ相関二重サンプリング処理が行われる。相関二重サンプリング処理された映像信号は，第１のアナログ／ディジタル変換回路４Ａから第４のアナログ／ディジタル変換回路４Ｄにおいてディジタル画像データに変換される。第１のアナログ／ディジタル変換回路４Ａから第４のアナログ／ディジタル変換回路４Ｄから出力されたそれぞれの画像データは，上述したように第１の補正回路１５Ａから第４の補正回路１５Ａに入力し，それぞれ補正される。
【００３３】
補正された各領域ＡからＤに対応した画像データは，データ処理回路５１に入力する。データ処理回路５１において，一駒分の画像データが生成される。生成された画像データによって表される画像がＬＣＤ９の表示画面に表示され，また，生成された画像データがメモリ・カード１１に記録されるのは上述したのと同様である。
【００３４】
領域ＡからＤの複数回の露光により生成されるＣＣＤ１であっても上述した補正処理がおこなわれるので，領域の境界部分の画像の乱れを防止できるようになる。
【図面の簡単な説明】
【図１】ＣＣＤの撮像領域を示している。
【図２】領域の境界に生じる段差を示している。
【図３】ディジタル・スチル・カメラの電気的構成を示すブロック図である。
【図４】補正処理を示すフローチャートである。
【図５】他の実施例を示すもので，ディジタル・スチル・カメラの電気的構成を示すブロック図である。
【符号の説明】
１　ＣＣＤ
２　撮影領域
５Ａ，５Ｂ，５Ｃ，５Ｄ　ＣＰＵ
６Ａ，６Ｂ，６Ｃ，６Ｄ　補正値メモリ
７Ａ，７Ｂ，７Ｃ，７Ｄ　ＳＤＲＡＭ
１５Ａ，１５Ｂ，１５Ｃ，１５Ｄ　補正回路
Ａ〜Ｄ　分割された領域
【図１】
2004048320.tif 000003
【図２】
2004048320.tif 000004
【図３】
2004048320.tif 000005
【図４】
2004048320.tif 000006
【図５】
2004048320.tif 000007